(57)【特許請求の範囲】
【請求項１】
コンロ本体と、コンロ本体の上面を覆う天板と、天板に開設したバーナ用開口を通して天板上に突出するコンロバーナと、天板上にバーナ用開口を囲うようにして載置される五徳とを備えるガスコンロであって、天板に、バーナ用開口の周縁部に位置させて、五徳の環状の五徳枠が外嵌する環状隆起部が絞り成形されるものにおいて、
天板の下面に、環状隆起部より外側の部分から環状隆起部の直下部に張り出す舌片が固定され、コンロ本体内に、舌片の上面に係合可能な爪部を有する天板固定部材が設けられ、この天板固定部材は、爪部が舌片の上面に係合する係合位置と爪部が舌片から離脱する係合解除位置とに移動自在であって、コンロバーナの環状のバーナボディで囲われるバーナ内周空間を通して操作可能な固定具により係合位置に固定されることを特徴とするガスコンロ。
【発明の詳細な説明】
【技術分野】
【０００１】
本発明は、コンロ本体と、コンロ本体の上面を覆う天板と、天板に開設したバーナ用開口を通して天板上に突出するコンロバーナと、天板上にバーナ用開口を囲うようにして載置される五徳とを備えるガスコンロに関する。
【背景技術】
【０００２】
従来、この種のガスコンロとして、コンロバーナに外挿した状態で天板上に載置されるバーナリングを備え、このバーナリングに五徳の環状の五徳枠を外嵌させて、五徳を位置決めするものが知られている。また、天板に、バーナ用開口の周縁部に位置させて、五徳の環状の五徳枠が外嵌する上記バーナリングに相当する環状隆起部を絞り成形したガスコンロも知られている（例えば、特許文献１参照）。これによれば、バーナリングが不要になり、部品点数を削減してコストダウンを図ることができる。
【０００３】
然し、天板に環状隆起部を絞り成形すると、以下の不具合を生ずることが判明した。即ち、環状隆起部は、コンロバーナの火炎からの輻射熱により加熱されやすく、環状隆起部からの入熱で天板が熱膨張して、環状隆起部が上方に変位するように天板が変形しやすくなる。そして、環状隆起部が一旦上方に変位すると、火炎に近づくために、環状隆起部への入熱量が増加して、天板の熱膨張による環状隆起部の上方への変位量がかなり大きくなってしまう。そのため、コンロバーナの燃焼停止で天板が冷却収縮して初期状態に戻ろうとしたとき、大きな反転音が発生して使用者を驚かせてしまう。
【先行技術文献】
【特許文献】
【０００４】
【特許文献１】特開２０１３−５７４６１号公報
【発明の概要】
【発明が解決しようとする課題】
【０００５】
本発明は、以上の点に鑑み、バーナ燃焼時における環状隆起部の上方への変位を抑制して、冷却時に天板で大きな反転音が発生することを防止できるようにしたガスコンロを提供することをその課題としている。
【課題を解決するための手段】
【０００６】
上記課題を解決するために、本発明は、コンロ本体と、コンロ本体の上面を覆う天板と、天板に開設したバーナ用開口を通して天板上に突出するコンロバーナと、天板上にバーナ用開口を囲うようにして載置される五徳とを備えるガスコンロであって、天板に、バーナ用開口の周縁部に位置させて、五徳の環状の五徳枠が外嵌する環状隆起部が絞り成形されるものにおいて、天板の下面に、環状隆起部より外側の部分から環状隆起部の直下部に張り出す舌片が固定され、コンロ本体内に、舌片の上面に係合可能な爪部を有する天板固定部材が設けられ、この天板固定部材は、爪部が舌片の上面に係合する係合位置と爪部が舌片から離脱する係合解除位置とに移動自在であって、コンロバーナの環状のバーナボディで囲われるバーナ内周空間を通して操作可能な固定具により係合位置に固定されることを特徴とする。
【０００７】
本発明によれば、コンロバーナ燃焼時における環状隆起部の上方への変位が天板固定部材により抑制される。その結果、冷却時に天板で大きな反転音が発生することを防止できる。また、固定具による天板固定部材の固定を解除して、天板固定部材を係合解除位置に移動させることにより、舌片に対する爪部の係合を解除して、天板を取外すことが可能となる。
【図面の簡単な説明】
【００１１】
【図１】本発明の第１実施形態のガスコンロの斜視図。
【図２】第１実施形態の天板を取外した状態の要部の拡大斜視図。
【図３】第１実施形態の要部の拡大断面図。
【図４】第２実施形態の五徳及びバーナヘッドを取外した状態の要部の平面図。
【図５】図４のＶ−Ｖ線で切断したバーナヘッドを装着した状態の断面図。
【図６】第２実施形態の要部の分解斜視図。
【図７】第３実施形態の五徳を取外した状態の要部の平面図。
【図８】図７のＶＩＩＩ−ＶＩＩＩ線で切断した断面図。
【図９】第４実施形態の要部の断面図。
【発明を実施するための形態】
【００１２】
図１を参照して、１は、本発明の実施形態のガスコンロを示している。このガスコンロ１は、コンロ本体２と、コンロ本体２の上面を覆う天板３と、天板３の左右２箇所に開設したバーナ用開口３１，３１を通して天板３上に突出する左右一対のコンロバーナ４，４と、天板３上に左右のバーナ用開口３１，３１を囲うようにして載置される左右一対の五徳５，５と、コンロ本体２内に組み込んだグリル６とを備えている。
【００１３】
コンロ本体２の前面には、各コンロバーナ４用と図示省略したグリルバーナ用の点消火ボタン２１と火力調節レバー２２とが配置されている。各コンロバーナ４は、図２に示すコンロ本体２に固定のバーナ支え板２３に固定される環状のバーナボディ４１と、バーナボディ４１上に載置される環状のバーナヘッド４２と、バーナヘッド４２の上面との間に二次空気用の通気間隙を画成する環状の整流板４３とを備えており、バーナヘッド４２の外周部に形成した多数の炎孔から混合気が噴出して燃焼する。また、各コンロバーナ４には、五徳５に載置する調理容器の底面に当接する鍋底温度センサ４４と、火炎検知素子たる熱電対４５と、点火電極４６（図４、図６参照）とが付設されている。
【００１４】
各五徳５は、環状の五徳枠５１に放射状に複数の五徳爪５２を取付けて成るものである。また、天板３には、各バーナ用開口３１の周縁部に位置させて、環状隆起部３２が絞り成形されており、各五徳５の五徳枠５１を環状隆起部３２に外嵌させて、各五徳５を位置決めしている。
【００１５】
ところで、環状隆起部３２は、コンロバーナ４の火炎の輻射熱により加熱されやすく、環状隆起部３２からの入熱で天板３が熱膨張して、環状隆起部３２が上方に変位するように天板３が変形しやすくなる。そして、環状隆起部３２が一旦上方に変位すると、火炎に近づくために、環状隆起部３２への入熱量が増加して、天板３の熱膨張による環状隆起部３２の上方への変位量がかなり大きくなってしまう。そのため、コンロバーナ４の燃焼停止で天板３が冷却収縮して初期状態に戻ろうとしたとき、大きな反転音が発生して使用者を驚かせてしまう。
【００１６】
そこで、天板３を、環状隆起部３２又はその近傍部分でコンロ本体２内に設けられた天板固定部材に上方に変位しないように連結している。これによれば、コンロバーナ４の燃焼時における環状隆起部３２の上方への変位が天板固定部材により抑制され、冷却時に天板３で大きな反転音が発生することを防止できる。以下、天板固定部材の各種実施形態について詳述する。
【００１７】
図２、図３に示す第１実施形態では、環状隆起部３２の内周縁の周方向の一部に下方にのびる垂下片部３３を設けている。そして、天板固定部材を、垂下片部３３に形成した係合孔３３ａに環状隆起部３２の径方向内方から係合可能な爪部７１ａを有する部材７１で構成し、この天板固定部材７１を、バーナ支え板２３上に設けられるコンロ本体２内の天板支え板２４にネジ止めしている。
【００１８】
爪部７１ａは板ばね製であって、天板３のセット時に爪部７１ａが垂下片部３３の係合孔３３ａより下の部分に押されて径方向内方に撓み、係合孔３３ａが爪部７１ａに対向する位置に下降したところで爪部７１ａが弾性復元力で係合孔３３ａに径方向内方から係合する。また、垂下片部３３とバーナボディ４１との間の隙間にドライバー等の工具を差し込んで、爪部７１ａを径方向内方に撓ませることにより、係合孔３３ａに対する爪部７１ａの係合を解除して、天板３を取外すことが可能になる。
【００１９】
尚、第１実施形態では、係合孔３３ａに径方向内方から係合するように爪部７１ａを設けているが、爪部７１ａは係合孔３３ａに径方向外方から係合するものであってもよい。また、第１実施形態では、爪部７１ａを含む天板固定部材７１全体を板ばね製としているが、板ばね製ではない天板固定部材７１の本体部分に板ばね製の爪部７１ａを取付けてもよい。
【００２０】
次に、図４乃至図６に示す第２実施形態について説明する。第２実施形態では、天板３の下面に、環状隆起部３２より外側の部分から環状隆起部３２の直下部に張り出す舌片３４を固定し、天板固定部材を、舌片３４の上面に係合可能な爪部７２ａを有する部材７２で構成している。そして、この天板固定部材７２を、爪部７２ａが舌片３４の上面に係合する係合位置と爪部７２ａが舌片３４から離脱する係合解除位置とに移動自在とし、コンロバーナ４の環状のバーナボディ４１で囲われるバーナ内周空間を通して操作可能な固定具７２ｂにより天板固定部材７２が係合位置に固定されるようにしている。
【００２１】
より具体的に説明すれば、天板３の下面に、環状隆起部３２の横方向両側部の直下部に張り出すように一対の舌片３４，３４が固定されている。また、バーナ支え板２３に、天板支え板２４の下側に位置させて、鍋底温度センサ４４と熱電対４５と点火電極４６とを支持するブラケット２５を固定し、このブラケット２５上に天板固定部材７２を固定具７２ｂたるネジで固定可能としている。天板固定部材７２は、ブラケット２５に載置される下板部７２ｃの両端から立上る一対の立上り部７２ｄ，７２ｄを有している。各立上り部７２ｄは、天板支え板２４に形成した長孔２４ａに前後方向に移動可能に挿通されており、天板支え板２４上に突出する各立上り部７２ｄの上部に爪部７２ａが設けられている。これにより、天板固定部材７２は、長孔２４ａに案内されて、各爪部７２ａが各舌片３４の上面に係合する後方の係合位置と、各爪部７２ａが各舌片３４の前方に離脱する前方の係合解除位置とに移動自在となり、固定具７２ｂにより係合位置に固定される。
【００２２】
また、固定具７２ｂは、バーナ内周空間に臨むように配置されており、バーナヘッド４２を取外した状態でドライバー等の工具を用いて操作することができる。そして、固定具７２ｂによる天板固定部材７２の固定を解除して、天板固定部材７２を係合解除位置に移動させることにより、舌片３４に対する爪部７２ａの係合を解除して、天板３を取外すことが可能となる。
【００２３】
また、第２実施形態では、爪部７２ａを板ばね製としている。これによれば、天板３をセットする前に天板固定部材７２を係合位置に固定しておいても、天板セット時に爪部７２ａが舌片３４に押されて撓み、舌片３４が爪部７２ａを通り過ぎたところで爪部７２ａが舌片３４の上面に係合する。尚、爪部７２ａは板ばね製でなくてもよく、この場合は、天板固定部材７２を係合解除位置に移動させた状態で天板３をセットし、セット後に天板固定部材７２を係合位置に移動させて、爪部７２ａを舌片３４の上面に係合させる。
【００２４】
また、第２実施形態では、天板固定部材７２をその前後動で係合位置と係合解除位置とに移動自在としているが、天板固定部材７２を固定具７２ｂによる固定箇所を支点にした回動で係合位置と係合解除位置とに移動自在とすることも可能である。また、第２実施形態では、天板固定部材７２に、天板３の下面に固定した一対の舌片３４，３４に対応する一対の爪部７２ａ，７２ａを設けているが、舌片３４及び爪部７２ａを夫々１個としてもよい。
【００２５】
次に、図７、図８に示す第３実施形態について説明する。第３実施形態では、環状隆起部３２に固定孔３５を形成し、天板固定部材を、固定孔３５の下方に対向するネジ孔７３ａを有する部材７３で構成している。この天板固定部材７３は天板支え板２４上に固定されている。そして、固定孔３５を通してネジ孔７３ａに螺合するネジ７３ｂにより環状隆起部３２が天板固定部材７３に固定される。
【００２６】
尚、環状隆起部３２の近傍の天板部分に固定孔３５を形成することも考えられるが、これでは、天板３上に落下した煮こぼれ汁が固定孔３５を介して天板裏面に流下する可能性がある。これに対し、固定孔３５を環状隆起部３２に形成すれば、環状隆起部３２に煮こぼれ汁が落下しても、煮こぼれ汁は直ぐに環状隆起部３２から流れ落ちるため、固定孔３５を介して天板裏面に煮こぼれ汁が流下することを効果的に防止できる。
【００２７】
以上、第１乃至第３実施形態の天板固定部材７１〜７３について説明したが、天板固定部材を、図９に示す第４実施形態の如く、天板支え板２４に固定した磁石７４で構成し、この磁石７４により環状隆起部３２の近傍の天板部分の下面を吸着して、環状隆起部３２の上方への変位を抑制することも可能である。また、環状隆起部３２の下面を吸着するように磁石を設けることも可能である。
【符号の説明】
【００２８】
１…ガスコンロ、２…コンロ本体、３…天板、３１…バーナ用開口、３２…環状隆起部、３３…垂下片部、３３ａ…係合孔、３４…舌片、３５…固定孔、４…コンロバーナ、５…五徳、５１…五徳枠、７１…天板固定部材、７１ａ…爪部、７２…天板固定部材、７２ａ…爪部、７２ｂ…固定具、７３…天板固定部材、７３ａ…ネジ孔、７３ｂ…ネジ、７４…磁石。
【図１】
0006010065.tif 000002
【図２】
0006010065.tif 000003
【図３】
0006010065.tif 000004
【図４】
0006010065.tif 000005
【図５】
0006010065.tif 000006
【図６】
0006010065.tif 000007
【図７】
0006010065.tif 000008
【図８】
0006010065.tif 000009
【図９】
0006010065.tif 000010